(57)【要約】【課題】低コストで通信容量を増やすことが可能な音声通話システムを提供する。【解決手段】集合住宅の共用部分に設置される共用部端末１ａ，１ｂと、集合住宅の住戸部分に設置される住戸端末２ａ，２ｂとの間は、４回線の通信線Ｌ１〜Ｌ４を介して接続されている。共用部端末１ａ，１ｂはそれぞれ切替部１１と通信部１２を備え、住戸端末２ａ，２ｂはそれぞれ切替部２１と通信部２２を備えている。通信部１２，２２は、音声信号、映像信号及び制御信号の内の少なくとも１種からなる信号を他の端末との間で送受信する。切替部１１は、通信部１２が接続される通信線を４回線ある通信線Ｌ１〜Ｌ４の内の何れかに切り替える。切替部２１は、通信部２２が接続される通信線を４回線ある通信線Ｌ１〜Ｌ４の内の何れかに切り替える。【選択図】図１
2014072727.tif 000002
【特許請求の範囲】
【請求項１】
集合住宅の共用部分に設置される第１通話端末と、集合住宅の住戸部分に設置される第２通話端末との間が、複数回線の通信線を介して接続され、
前記第１通話端末及び前記第２通話端末の各々は通信部と切替部を備え、
前記切替部は、前記通信部の接続先を、複数回線ある前記通信線の何れかに切り替え、
前記通信部は、前記通信線を介して音声信号、映像信号及び制御信号の内の少なくとも１種からなる信号を送受信することを特徴とする音声通話システム。
【請求項２】
前記第１通話端末及び前記第２通話端末のうち発呼側となる通話端末では、通信開始前に、前記切替部によって前記通信部が任意の前記通信線に接続された状態で、前記通信部が着呼側の通話端末に宛てた発呼パケットを送信し、
前記第１通話端末及び前記第２通話端末のうち着呼側となる通話端末では、前記通信部が、自機宛ての前記発呼パケットを受信すると、発呼側の通話端末宛てに前記発呼パケットに対する応答パケットを返送し、
前記第１通話端末及び前記第２通話端末のうち発呼側となる通話端末では、前記発呼パケットを送信してから所定の待ち時間が経過するまでの間に、前記通信部が自機宛ての前記応答パケットを受信できない場合、前記切替部が前記通信部を別の前記通信線に接続させた状態で、前記通信部が前記発呼パケットを再送信することを特徴とする請求項１記載の音声通話システム。
【請求項３】
前記第１通話端末及び前記第２通話端末の各々は、前記通信線を使用して行われる通話数の情報を前記回線毎に取得する通話数取得部を備え、
通信開始前の状態で、前記切替部は、複数回線ある前記通信線のうち、前記通話数取得部によって取得された通話数が上限値以下である前記通信線の何れかに、前記通信部を接続することを特徴とする請求項２記載の音声通話システム。
【発明の詳細な説明】
【技術分野】
【０００１】
本発明は、音声通話システムに関するものである。
【背景技術】
【０００２】
従来、集合住宅の共用玄関に設置される共用部装置と、各住戸に設置される住戸機との間で、音声や映像をディジタル変調して伝送する集合住宅用インターホンシステムがあった（例えば特許文献１参照）。
【先行技術文献】
【特許文献】
【０００３】
【特許文献１】特開２０１２−１４７０４３号公報
【発明の概要】
【発明が解決しようとする課題】
【０００４】
上記の特許文献１に開示されたインターホンシステムでは、共用部装置と住戸機との間が１本の共用部幹線で接続されているため、通信容量に制約があった。
【０００５】
本発明は上記課題に鑑みて為されたものであり、その目的とするところは、低コストで通信容量を増やすことが可能な音声通話システムを提供することにある。
【課題を解決するための手段】
【０００６】
本発明の音声通話システムでは、集合住宅の共用部分に設置される第１通話端末と、集合住宅の住戸部分に設置される第２通話端末との間が、複数回線の通信線を介して接続される。前記第１通話端末及び前記第２通話端末の各々は通信部と切替部を備える。前記切替部は、前記通信部の接続先を、複数回線ある前記通信線の何れかに切り替え、前記通信部は、前記通信線を介して音声信号、映像信号及び制御信号の内の少なくとも１種からなる信号を送受信する。
【０００７】
この音声通話システムにおいて、以下の処理を行うことも好ましい。前記第１通話端末及び前記第２通話端末のうち発呼側となる通話端末では、通信開始前に、前記切替部によって前記通信部が任意の前記通信線に接続された状態で、前記通信部が着呼側の通話端末に宛てた発呼パケットを送信する。前記第１通話端末及び前記第２通話端末のうち着呼側となる通話端末では、前記通信部が、自機宛ての前記発呼パケットを受信すると、発呼側の通話端末宛てに前記発呼パケットに対する応答パケットを返送する。前記第１通話端末及び前記第２通話端末のうち発呼側となる通話端末では、前記発呼パケットを送信してから所定の待ち時間が経過するまでの間に、前記通信部が自機宛ての前記応答パケットを受信できない場合、前記切替部が前記通信部を別の前記通信線に接続させた状態で、前記通信部が前記発呼パケットを再送信する。
【０００８】
この音声通話システムにおいて、前記第１通話端末及び前記第２通話端末の各々は、前記通信線を使用して行われる通話数の情報を前記回線毎に取得する通話数取得部を備えることも好ましい。通信開始前の状態で、前記切替部は、複数回線ある前記通信線のうち、前記通話数取得部によって取得された通話数が上限値以下である前記通信線の何れかに、前記通信部を接続する。
【発明の効果】
【０００９】
本発明によれば、第１通話端末と第２通話端末の間の通話が複数回線の通信線に分散されるから、通信容量を増やすことができる。しかも、第１通話端末及び第２通話端末では、切替部によって、通信部が接続される通信線が、複数回線ある通信線の何れかに切り替えている。したがって、複数回線ある通信線の各々に対応して通信部を備える必要がなく、通信部が１つで済むから、第１通話端末及び第２通話端末の回路構成を簡素化でき、コストダウンを図ることができる。
【図面の簡単な説明】
【００１０】
【図１】本実施形態の概略的なシステム構成図である。
【図２】（ａ）は同上に用いられる共用部端末のブロック図、（ｂ）は同上に用いられる住戸端末のブロック図である。
【図３】同上の動作を説明するフロー図である。
【図４】同上の別の動作を説明するフロー図である。
【発明を実施するための形態】
【００１１】
本発明に係る音声通話システムの実施形態を図面に基づいて説明する。
【００１２】
図１は音声通話システムのシステム構成図である。この音声通話システムは、集合住宅の共用部分（例えば共用部玄関）にそれぞれ設置された２台の共用部端末１ａ，１ｂ（第１通話端末）と、集合住宅の住戸部分にそれぞれ設置された２台の住戸端末２ａ，２ｂ（第２通話端末）とを備える。尚、共用部端末や住戸端末の台数を図示の台数に限定する趣旨のものではなく、適宜変更が可能である。
【００１３】
共用部端末１ａ，１ｂはそれぞれ４回線の通信線Ｌ１，Ｌ２，Ｌ３，Ｌ４に接続されている。４回線の通信線Ｌ１，Ｌ２，Ｌ３，Ｌ４の各々は分岐器４によって分岐されて住戸部分に引き込まれ、住戸部分に設置された住戸端末２ａ，２ｂにそれぞれ接続されている。而して、共用部端末１ａ，１ｂと住戸端末２ａ，２ｂの間は４回線の通信線Ｌ１〜Ｌ４を介して接続されている。尚、４回線の通信線Ｌ１〜Ｌ４の各々は例えばツイストペアケーブルで構成されている。
【００１４】
図２（ａ）は共用部端末１（１ａ，１ｂ）のブロック図であり、共用部端末１ａ，１ｂは、それぞれ、切替部１１と通信部１２と通話部１３を備えている。また、通話部１３は、制御部１３ａ、音声処理部１３ｂ、映像処理部１３ｃ、操作入力受付部１３ｄ、Ｄ／Ａ変換器１３ｅ、スピーカ１３ｆ、Ａ／Ｄ変換器１３ｇ、マイクロホン１３ｈ、表示部１３ｊなどを備えている。
【００１５】
切替部１１は、通信部１２の接続先を、４回線ある通信線Ｌ１〜Ｌ４の何れかに切り替える。
【００１６】
通信部１２は、他の共用部端末や住戸端末２ａ，２ｂとの間で通信線を介したパケット伝送を行い、音声信号、映像信号及び制御信号の内の少なくとも１種からなる信号を送受信する。通信部１２は、後述の制御部１３ａで作成される制御信号を分割してパケット（制御パケット）を作成し、音声処理部１３ｂで作成される送話音声信号（送話音声データ）を分割してパケット（音声パケット）を作成する。さらに通信部１２は、制御パケットや音声パケットを符号化するとともに符号化されたビット列を電気信号に変換（変調）し、切替部１１によって切り替えられた通信線に出力する。また通信部１２は、切替部１１を介して接続された通信線に流れる電気信号をビット列に変換（復調）するとともに、復調されたビット列からパケット（音声パケット、制御パケット、映像パケット）を復号化する。なお、通信部１２では、復号化したパケットのアドレスが自己のアドレス（共用部端末１ａ又は１ｂのアドレス）に一致しない場合は当該パケットを破棄し、アドレスが一致する場合は以下の処理を行う。すなわち通信部１２は、復号化したパケットのデータフィールドに含まれるデータが映像データ（映像信号）であれば映像処理部１３ｃに、制御データ（制御信号）であれば制御部１３ａに、音声データ（音声信号）であれば音声処理部１３ｂに、それぞれ出力する。但し、パケットのアドレスがマルチキャストアドレス又はブロードキャストアドレスであれば、通信部１２は、自己のアドレスに一致しない場合でも当該パケットを破棄せずに処理する。
【００１７】
通話部１３では、マイクロホン１３ｈで集音される音声が電気信号（音声信号）に変換される。そして、マイクロホン１３ｈから出力されるアナログの音声信号（送話音声信号）がＡ／Ｄ変換器１３ｇでディジタルの音声信号（送話音声データ）に変換されて音声処理部１３ｂに入力される。また、音声処理部１３ｂから出力されるディジタルの音声信号（受話音声データ）はＤ／Ａ変換器１３ｅでアナログの音声信号（受話音声信号）に変換された後、スピーカ１３ｆに入力され、スピーカ１３ｆから音声（受話音声）が出力される。
【００１８】
音声処理部１３ｂは、音声スイッチやエコーキャンセラなどを具備し、通信部１２から入力される受話音声信号及びＡ／Ｄ変換器１３ｇから入力される送話音声信号を信号処理することでハウリングやエコーを抑制して良好なハンズフリー通話を実現する。なお、音声処理部１３ｂで処理された送話音声信号は通信部１２に出力される。
【００１９】
表示部１３ｊは、液晶ディスプレイなどの表示デバイス（図示せず）と、表示デバイスを駆動して映像を表示させる駆動回路（図示せず）を備える。映像処理部１３ｃは、通信部１２から出力される映像信号（映像データ）から元の映像を再構成し、再構成した映像を表示部１３ｊに表示させる。
【００２０】
制御部１３ａは、ＣＰＵやメモリなどのハードウェアと、ＣＰＵで実行される種々のプログラム（ソフトウェア）とで構成される。操作入力受付部１３ｄは、タッチパネルや押釦スイッチなどの入力デバイス（図示せず）を有し、入力デバイスが操作されることで種々の操作入力を受け付けるとともに、それぞれの操作入力に応じた操作信号を制御部１３ａに出力する。例えば共用部端末１ａ，１ｂの筐体前面には呼出先の部屋番号を入力するテンキーや呼出釦（図示せず）が設けられており、テンキーや呼出釦が押操作されると、操作入力受付部１３ｄで操作入力が受け付けられ、指定された部屋を呼び出す操作信号が出力される。制御部１３ａでは、操作入力受付部１３ｄから操作信号が入力されると、それぞれの操作信号に応じた処理を実行する。
【００２１】
また、図２（ｂ）は住戸端末２ａ，２ｂのブロック図であり、住戸端末２ａ，２ｂは、それぞれ、切替部２１と通信部２２と通話部２３を備える。通話部２３は、制御部２３ａ、音声処理部２３ｂ、映像処理部２３ｃ、操作入力受付部２３ｄ、Ｄ／Ａ変換器２３ｅ、スピーカ２３ｆ、Ａ／Ｄ変換器２３ｇ、マイクロホン２３ｈ、表示部２３ｊなどを備えている。
【００２２】
切替部２１は、通信部２２の接続先を、４回線ある通信線Ｌ１〜Ｌ４の何れかに切り替える。
【００２３】
通信部２２は、共用部端末１ａ，１ｂや他の住戸端末との間で通信線を介したパケット伝送を行い、音声信号、映像信号及び制御信号の内の少なくとも１種からなる信号を送受信する。通信部２２は、後述の制御部２３ａで作成される制御信号を分割してパケット（制御パケット）を作成し、音声処理部２３ｂで作成される送話音声信号（送話音声データ）を分割してパケット（音声パケット）を作成する。さらに通信部２２は、制御パケットや音声パケットを符号化するとともに符号化されたビット列を電気信号に変換（変調）し、切替部２１によって切り替えられた通信線に出力する。また通信部２２は、切替部２１を介して接続される通信線に流れる電気信号をビット列に変換（復調）するとともに、復調されたビット列からパケット（音声パケット、制御パケット、映像パケット）を復号化する。なお、通信部２２では、復号化したパケットのアドレスが自己のアドレス（住戸端末２ａ，２ｂのアドレス）に一致しない場合は当該パケットを破棄し、アドレスが一致する場合は以下の処理を行う。すなわち、通信部２２では、復号化したパケットのデータフィールドに含まれるデータが映像データであれば映像処理部２３ｃに、制御データであれば制御部２３ａに、音声データであれば音声処理部２３ｂに、それぞれ出力する。但し、パケットのアドレスがマルチキャストアドレス又はブロードキャストアドレスであれば、通信部２２は、自己のアドレスに一致しない場合でも当該パケットを破棄せずに処理する。
【００２４】
通話部２３では、マイクロホン２３ｈで集音される音声が電気信号（音声信号）に変換される。マイクロホン２３ｈから出力されるアナログの音声信号（送話音声信号）はＡ／Ｄ変換器２３ｇでディジタルの音声信号（送話音声データ）に変換されて、音声処理部２３ｂに入力される。また、音声処理部２３ｂから出力されるディジタルの音声信号（受話音声データ）はＤ／Ａ変換器２３ｅでアナログの音声信号（受話音声信号）に変換された後、スピーカ２３ｆに入力され、スピーカ２３ｆから音声（受話音声）が出力される。
【００２５】
音声処理部２３ｂは、音声スイッチやエコーキャンセラなどを具備し、通信部２２から入力される受話音声信号及びＡ／Ｄ変換器２３ｇから入力される送話音声信号を信号処理することでハウリングやエコーを抑制して良好なハンズフリー通話を実現する。なお、音声処理部２３ｂで処理された送話音声信号は通信部２２に出力される。
【００２６】
表示部２３ｊは、液晶ディスプレイなどの表示デバイス（図示せず）と、表示デバイスを駆動して映像を表示させる駆動回路（図示せず）を備える。映像処理部２３ｃは、通信部２２から出力される映像信号（映像データ）から元の映像を再構成し、再構成した映像を表示部２３ｊに表示させる。
【００２７】
制御部２３ａは、ＣＰＵやメモリなどのハードウェアと、ＣＰＵで実行される種々のプログラム（ソフトウェア）とで構成される。操作入力受付部２３ｄは、タッチパネルや押釦スイッチなどの入力デバイス（図示せず）を有し、入力デバイスが操作されることで種々の操作入力を受け付けるとともに、それぞれの操作入力に応じた操作信号を制御部２３ａに出力する。例えば、住戸端末２ａ，２ｂの筐体前面に応答釦（図示せず）が設けられており、この応答釦が押操作されると、操作入力受付部２３ｄで操作入力が受け付けられて応答の操作信号が出力される。制御部２３ａでは、操作入力受付部２３ｄから操作信号が入力されると、それぞれの操作信号に応じた処理を実行する。
【００２８】
以上のように、集合住宅の共用部分に設置される第１通話端末（共用部端末１ａ，１ｂ）と、集合住宅の住戸部分に設置される第２通話端末（住戸端末２ａ，２ｂ）との間は、複数回線の通信線（例えば４回線の通信線Ｌ１〜Ｌ４）を介して接続されている。第１通話端末である共用部端末１ａ，１ｂは切替部１１と通信部１２を備え、第２通話端末である住戸端末２ａ，２ｂは切替部２１と通信部２２を備えている。切替部１１は通信部１２の接続先を複数回線ある通信線Ｌ１〜Ｌ４の何れかに切り替え、切替部２１は通信部２２の接続先を複数回線ある通信線Ｌ１〜Ｌ４の何れかに切り替える。通信部１２，２２は、通信線を介して音声信号、映像信号及び制御信号の内の少なくとも１種からなる信号を送受信する。
【００２９】
これにより、共用部端末１ａ，１ｂと住戸端末２ａ，２ｂの間の通信が、複数回線（例えば４回線）ある通信線Ｌ１〜Ｌ４に分散されるから、通信容量を増やすことができる。しかも、共用部端末１ａ，１ｂでは、切替部１１が、通信部１２に接続する通信線を４回線ある通信線Ｌ１〜Ｌ４の何れかに切り替え、住戸端末２ａ，２ｂでは、切替部２１が、通信部２２に接続する通信線を４回線ある通信線Ｌ１〜Ｌ４の何れかに切り替えている。したがって、複数回線ある通信線（例えば４回線ある通信線Ｌ１〜Ｌ４）の各々に対応して通信部を備える必要がなく、通信部が１つで済むから、共用部端末１ａ，１ｂ及び住戸端末２ａ，２ｂの回路構成を簡素化でき、コストダウンを図ることができる。
【００３０】
ところで、共用部端末１ａ，１ｂ及び住戸端末２ａ，２ｂは複数回線ある通信線（例えば４回線ある通信線Ｌ１〜Ｌ４）を介して接続されているので、発呼側になる通話端末の通信部と、着呼側になる通話端末の通信部とは同じ信号線に接続されている必要がある。
【００３１】
そこで、本実施形態では、通話開始前に発呼側の通話端末と着呼側の通話端末とが、以下のような処理を行って、通信部を同じ通信線に接続させており、この処理について図３を参照して説明する。尚、共用部端末１ａ，１ｂ及び住戸端末２ａ，２ｂは発呼側にもなるし、着呼側にもなるが、共用部端末１ａから住戸端末２ａを呼び出す場合を例に説明を行う。
【００３２】
通話開始前、共用部端末１ａ，１ｂでは、切替部１１によって、４回線の通信線Ｌ１〜Ｌ４のうち任意の通信線が通信部１２に接続するように切り替えられている。同様に、住戸端末２ａ，２ｂでは、切替部２１によって、４回線の通信線Ｌ１〜Ｌ４のうち任意の通信線が通信部２２に接続するように切り替えられている。図３の例では、通話開始前に、共用部端末１ａでは切替部１１が通信線Ｌ１を通信部１２に接続し（図３のステップＳ１）、住戸端末２ａでは切替部２１が通信線Ｌ２を通信部２２に接続している（図３のステップＳ２）。ここで、来訪者が共用部端末１ａを操作して住戸端末２ａを呼び出す操作を行うと、発呼側となる共用部端末１ａでは、通信部１２が、着呼側となる住戸端末２ａに宛てた発呼パケットを、通信線Ｌ１へ送信する（図３のステップＳ３）。
【００３３】
上述のように、着呼側となる住戸端末２ａは通信線Ｌ２に接続されているので、共用部端末１ａから通信線Ｌ１に送信された発呼パケットを受け取ることができず、住戸端末２ａから発呼パケットに対する応答パケットは送信されない。したがって、発呼側となる共用部端末１ａの通信部１２は、発呼パケットを送信してから所定の待ち時間が経過しても、自機宛ての応答パケットを受信することができず、通信線Ｌ１に住戸端末２ａが接続されていないと判断する。そして、共用部端末１ａの通信部１２は、切替部１１を制御して通信部１２が接続される通信線を通信線Ｌ１から別の通信線、例えば通信線Ｌ２に切り替えさせた後（図３のステップＳ４）、住戸端末２ａに宛てた発呼パケットを通信線Ｌ２へ送信する（図３のステップＳ５）。通信線Ｌ２に送信された住戸端末２ａ宛ての発呼パケットは、住戸端末２ａの通信部２２によって受信され、通信部２２は、発呼パケットに対する応答パケットを、共用部端末１ａに宛てて返信する（図３のステップＳ６）。この時、共用部端末１ａの通信部１２は、発呼パケットの送信時から待ち時間が経過するまでの間に、着呼側の住戸端末２ａから自機宛てに送信された応答パケットを受信でき（図３のステップＳ７）、住戸端末２ａとの間で通信線Ｌ２を介して通話を行う（図３のステップＳ８）。
【００３４】
このように、第１通話端末（共用部端末１ａ，１ｂ）及び第２通話端末（住戸端末２ａ，２ｂ）のうち発呼側の通話端末では、通信開始前に、切替部によって通信部が任意の通信線に接続された状態で、通信部が着呼側の通話端末に宛てた発呼パケットを送信する。一方、着呼側となる通話端末では、通信部が、自機宛ての発呼パケットを受信すると、発呼側の通話端末宛てに発呼パケットに対する応答パケットを返送する。そして、発呼側となる通話端末では、発呼パケットを送信してから所定の待ち時間が経過するまでの間に、通信部が自機宛ての応答パケットを受信できない場合、通信部が、切替部により別の通信線に切り替えさせた状態で発呼パケットを再送信する。よって、通話開始前に、発呼側の通話端末と着呼側の通話端末が別々の通信線に接続されていたとしても、発呼側の通話端末が、応答パケットを受信できるまで、通信線を順次切り替えて発呼パケットを送信するので、着呼側の通話端末が接続されている通信線に切り替えて通話を開始することができる。
【００３５】
ところで、共用部端末１ａ，１ｂ及び住戸端末２ａ，２ｂの間では、音声信号や映像信号をパケット化して伝送しているので、１回線の通信線で複数の通話を同時に行えるようになっている。ここで、複数回線の通信線Ｌ１〜Ｌ４のうち特定の通信線に通話が集中すると、通話品質が低下する虞があるので、特定の通信線に通話が集中しないように、本実施形態では以下のような処理を行っている。尚、共用部端末１ａと住戸端末２ａが通信線Ｌ１を使用して通話を行っており、共用部端末１ｂと住戸端末２ｂが通話を行っていない場合を例にして説明を行う。
【００３６】
共用部端末１ａ及び住戸端末２ａは共に通信線Ｌ１を選択し（図４のステップＳ１，Ｓ２）、共用部端末１ａと住戸端末２ａとの間では通信線Ｌ１を介して通話を行っている（図４のステップＳ３）。一方、共用部端末１ｂと住戸端末２ｂは通話を行っておらず、共用部端末１ｂ及び住戸端末２ｂは４回線の通信線Ｌ１〜Ｌ４の何れかに切替接続されている。ここで、共用部端末１ｂの通信部１２は、切替部１１により通信部１２が接続される通信線を通信線Ｌ１〜Ｌ４の何れかに順次切り替えるとともに、通信線Ｌ１〜Ｌ４の各々で行われている通話数を回線毎に求める（図４のステップＳ４）。ここにおいて、通信部１２が、通信線を使用して行われる通話数の情報を回線毎に取得する通話数取得部を兼用する。そして、通信部１２は、通話数が所定の上限値を越えている通信線に通信部１２が接続されないように切替部１１を切り替えている。ここで、通信線Ｌ１で通話数が上限値を越えている場合、通信部１２は、切替部１１を制御して通信線Ｌ１以外の通信線、例えば通信線Ｌ２に通信部１２を接続させる（図４のステップＳ５）。
【００３７】
同様に、住戸端末２ｂの通信部２２は、切替部２１により通信部２２が接続される通信線を通信線Ｌ１〜Ｌ４の何れかに順次切り替えるとともに、通信線Ｌ１〜Ｌ４の各々で行われている通話数を回線毎に求める（図４のステップＳ６）。ここにおいて、通信部２２が、通信線を使用して行われる通話数の情報を回線毎に取得する通話数取得部を兼用する。そして、通信部２２は、通話数が所定の上限値を越えている通信線に通信部２２が接続されないように切替部２１を切り替えている。ここで、通信線Ｌ１で通話数が上限値を越えている場合、通信部２２は、切替部２１を制御して通信線Ｌ１以外の通信線、例えば通信線Ｌ２に通信部１２を接続させる（図４のステップＳ７）。
【００３８】
その後、来訪者が共用部端末１ｂを操作して住戸端末２ｂを呼び出す操作を行うと、発呼側となる共用部端末１ｂでは、通信部１２が、着呼側となる住戸端末２ｂに宛てた発呼パケットを、通信線Ｌ２へ送信する（図４のステップＳ８）。
【００３９】
上述のように、発呼側となる共用部端末１ｂと着呼側となる住戸端末２ｂは共に通信線Ｌ２に接続されているので、共用部端末１ｂから通信線Ｌ２に送信された発呼パケットは住戸端末２ｂによって受信される。そして、住戸端末２ｂの通信部２２が自機宛ての発呼パケットを受信すると、住戸端末２ｂの通信部２２は、発呼パケットに対する応答パケットを、共用部端末１ｂに宛てて返信する（図４のステップＳ９）。この時、共用部端末１ｂの通信部１２は、発呼パケットの送信時から待ち時間が経過するまでの間に着呼側の住戸端末２ｂから自機宛てに送信された応答パケットを受信でき（図３のステップＳ１０）、住戸端末２ｂとの間で通信線Ｌ２を介して通話を行う（図４のステップＳ１１）。
【００４０】
尚、発呼側となる共用部端末１ｂと着呼側となる住戸端末２ｂとが別々の通信線に接続されている場合、共用部端末１ｂの通信部１２は、発呼パケットを送信してから所定の待ち時間が経過するまでの間に応答パケットを受信できない。この場合、通信部１２は、住戸端末２ｂが同じ通信線に接続されていないと判断し、切替部１１を制御して通信部１２が接続される通信線を別の通信線に切り替えさせる。そして、通信部１２は、切替部１１によって通信部１２が別の通信線に接続された後に発呼パケットを再送しており、この処理を繰り返すことで、着呼側の住戸端末２ｂが接続されている通信線に切り替えて、発呼パケットを送信することができる。
【００４１】
以上のように、第１通話端末（共用部端末１ａ，１ｂ）及び第２通話端末（住戸端末２ａ，２ｂ）の各々は、通信線を使用して行われる通話数の情報を回線毎に取得する通話数取得部（本実施形態では通信部１２，２２が兼用）を備えている。そして、通信開始前の状態で、切替部１１，２１は、通話数取得部によって取得された通話数が上限値以内である通信線の何れかに、通信部１２，２２を接続する。
【００４２】
これにより、特定の通信線に通話が集中しにくくなり、通話品質を向上させることができる。
【符号の説明】
【００４３】
１ａ，１ｂ  共用部端末（第１通話端末）
２ａ，２ｂ  住戸端末（第２通話端末）
１１，２１  切替部
１２，２２  通信部
Ｌ１〜Ｌ４  通信線
【図１】
2014072727.tif 000003
【図２】
2014072727.tif 000004
【図３】
2014072727.tif 000005
【図４】
2014072727.tif 000006